【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
複数の用紙を所定の枚数ずつ積み重ねて相互に連結し、連結した前記所定の枚数の用紙を折り曲げて製本する製本処理装置の入側に連結され、この製本処理装置に前記複数の用紙を連続的に供給する製本前処理装置において、供給された前記用紙を１枚ずつ前記製本処理装置に向けて搬送する搬送手段と、この搬送手段が形成する前記用紙の搬送経路に介在し前記用紙の端部を切除する切除手段と、供給された前記用紙をその端部を切除する必要がある要切除用紙とその端部を切除する必要がない非切除用紙とに選別しその選別結果に基づいて前記搬送手段及び切除手段を制御して前記要切除用紙の端部を切除させ前記非切除用紙の端部は切除させない制御手段と、を有することを特徴とする製本前処理装置。
【請求項２】
前記切除手段が前記要切除用紙をその搬送方向に平行な方向に断裁して前記要切除用紙における前記搬送方向に延びる端部を切除する搬送方向断裁手段を有することを特徴とする請求項１に記載の製本前処理装置。
【請求項３】
前記切除手段が前記要切除用紙をその搬送方向に直交する方向に断裁して前記要切除用紙における前記搬送方向に直交する方向に延びる端部を切除する搬送直交方向断裁手段を有することを特徴とする請求項１又は２に記載の製本前処理装置。
【請求項４】
前記非切除用紙を前記切除手段を迂回して前記製本処理装置に向けて搬送するバイパス手段と、前記制御手段の選別結果に基づいて前記要切除用紙を前記切除手段に供給し前記非切除用紙を前記バイパス手段に供給する搬送路切換手段と、を有することを特徴とすることを特徴とする請求項１乃至３のいずれか１項に記載の製本前処理装置。
【請求項５】
前記要切除用紙における前記製本処理装置において折り曲げられる予定の部分に折り目を形成する折目付手段を有することを特徴とする請求項１乃至４のいずれか１項に記載の製本前処理装置。
【請求項６】
前記制御手段が、予め入力された情報に基づいて前記選別を行うことを特徴とする請求項１乃至５のいずれか１項に記載の製本前処理装置。
【請求項７】
請求項１乃至６のいずれか１項に記載の製本前処理装置と、この製本前処理装置から前記複数の用紙が連続的に供給され、この複数の用紙を所定の枚数ずつ積み重ねて相互に連結し、連結した前記所定の枚数の用紙を折り曲げて製本する製本処理装置と、を有することを特徴とする製本装置。
【請求項８】
前記用紙を前記製本前処理装置に連続的に供給する給紙装置を有することを特徴とする請求項７に記載の製本装置。
【請求項９】
前記給紙装置が、前記要切除用紙が供給される第１の給紙棚と、前記非切除用紙が供給される第２の給紙棚と、を有し、前記給紙装置は前記要切除用紙及び非切除用紙を所定の順番で前記製本前処理装置に連続的に供給するものであることを特徴とする請求項８に記載の製本装置。
【請求項１０】
前記用紙の表面に画像を形成し、この画像を形成した用紙を前記製本前処理装置に連続的に供給する画像形成装置を有することを特徴とする請求項７に記載の製本装置。
【請求項１１】
前記画像形成装置が、その表面に画像が形成される前の前記要切除用紙が供給される第１の給紙棚と、その表面に画像が形成される前の前記非切除用紙が供給される第２の給紙棚と、を有し、前記画像形成装置は前記要切除用紙及び非切除用紙に所定の順番で画像を形成して前記製本前処理装置に連続的に供給するものであることを特徴とする請求項１０に記載の製本装置。
【手続補正２】
【補正対象書類名】明細書
【補正対象項目名】０００９
【補正方法】変更
【補正の内容】
【０００９】
本発明に係る製本前処理装置は、複数の用紙を所定の枚数ずつ積み重ねて相互に連結し、連結した前記所定の枚数の用紙を折り曲げて製本する製本処理装置の入側に連結され、この製本処理装置に前記複数の用紙を連続的に供給する製本前処理装置において、供給された前記用紙を１枚ずつ前記製本処理装置に向けて搬送する搬送手段と、この搬送手段が形成する前記用紙の搬送経路に介在し前記用紙の端部を切除する切除手段と、供給された前記用紙をその端部を切除する必要がある要切除用紙とその端部を切除する必要がない非切除用紙とに選別しその選別結果に基づいて前記搬送手段及び切除手段を制御して前記要切除用紙の端部を切除させ前記非切除用紙の端部は切除させない制御手段と、を有することを特徴とする。
【手続補正３】
【補正対象書類名】明細書
【補正対象項目名】００１０
【補正方法】変更
【補正の内容】
【００１０】
本発明においては、制御手段が画像形成済み用紙を要切除用紙と非切除用紙とに選別すると共にこの選別結果に基づいて搬送手段及び切除手段の動作を制御し、要切除用紙のみに余白の切除処理を施すため、効率が向上する。
【手続補正４】
【補正対象書類名】明細書
【補正対象項目名】００１５
【補正方法】変更
【補正の内容】
【００１５】
更にまた、前記制御手段が、予め入力された情報に基づいて前記選別を行うことが好ましい。
【手続補正５】
【補正対象書類名】明細書
【補正対象項目名】００１６
【補正方法】変更
【補正の内容】
【００１６】
本発明に係る製本装置は、前記製本前処理装置と、この製本前処理装置から前記複数の用紙が連続的に供給され、この複数の用紙を所定の枚数ずつ積み重ねて相互に連結し、連結した前記所定の枚数の用紙を折り曲げて製本する製本処理装置と、を有することを特徴とする。
【手続補正６】
【補正対象書類名】明細書
【補正対象項目名】００１７
【補正方法】変更
【補正の内容】
【００１７】
本発明においては、製本前処理装置及び製本処理装置がオンラインで連結されており、画像形成済み用紙が連続的に製本前処理装置及び製本処理装置をこの順に通過するようになっているため、作業者による用紙の運搬が不要となり、処理速度が高くなり、効率が向上する。また、製本前処理装置及び製本処理装置を一元的に操作できるため、操作のための負荷が軽減され、効率が向上する。
【手続補正７】
【補正対象書類名】明細書
【補正対象項目名】００１８
【補正方法】変更
【補正の内容】
【００１８】
また、本発明に係る製本装置は、前記画像形成済み用紙を前記製本前処理装置に連続的に供給する給紙装置を有していてもよく、前記給紙装置が、前記要切除用紙が供給される第１の給紙棚と、前記非切除用紙が供給される第２の給紙棚と、を有し、前記給紙装置は前記要切除用紙及び非切除用紙を所定の順番で前記製本前処理装置に連続的に供給するものであってもよい。これにより、別々の画像形成装置により要切除用紙及び非切除用紙に画像を形成した場合においても、製本前処理装置への画像形成済み用紙の供給が容易になる。
【手続補正８】
【補正対象書類名】明細書
【補正対象項目名】００１９
【補正方法】変更
【補正の内容】
【００１９】
又は、本発明に係る製本装置は、前記用紙の表面に画像を形成し、この画像を形成した用紙を前記製本前処理装置に連続的に供給する画像形成装置を有していてもよい。これにより、画像形成装置、製本前処理装置及び製本処理装置がオンラインで連結されるため、製本効率がより一層向上する。また、前記画像形成装置が、その表面に画像が形成される前の前記要切除用紙が供給される第１の給紙棚と、その表面に画像が形成される前の前記非切除用紙が供給される第２の給紙棚と、を有し、前記画像形成装置は前記要切除用紙及び非切除用紙に所定の順番で画像を形成して前記製本前処理装置に連続的に供給するものであることが好ましい。これにより、画像形成装置に画像形成前の要切除用紙と非切除用紙とを別々に供給することができ、用紙の供給が容易になる。